(57)【要約】【課題】保水性を向上させて植物の生育を維持することができる植生パネルを提供する。【解決手段】植生パネル１１を構成する枠体１２は、４つの枠板１２ａにより四角枠状に形成されている。枠体１２内には第１区画壁１２ｂ及び第２区画壁が形成され、植生基材１３を収容するための収容空間１４が形成されている。上下に位置する枠板１２ａと第１区画壁１２ｂとには、貫通孔１５が多数貫通形成されている。各植生基材１３は土壌を含有するコンクリートにより形成され、その表面１３ａは、上部に向かうに従い内方へ傾斜する傾斜状に形成されるとともに植物１９が植えられている。各植生基材１３の背面１３ｃ上には、吸水性及び保水性を有する保水材２０が配設されている。そして、植物１９の生育によって植生基材１３の保水量が減少したときには、保水材２０内の水が植生基材１３に補給されるようになっている。【選択図】　　図１
2004016188.tif 000002
【特許請求の範囲】
【請求項１】
構造物の壁面上に配設される枠体と、植物を生育させるための土壌を含有するコンクリートにより形成され、枠体内に収容されるとともに、表面が上部に向かうに従い内方へ傾斜する傾斜状に形成されている植生基材と、吸水性及び保水性を有し、植生基材の背面上に設けられる保水材とを備えていることを特徴とする植生パネル。
【請求項２】
前記枠体内には、複数の植生基材を収容するための区画壁が設けられている請求項１に記載の植生パネル。
【請求項３】
前記枠体は枠板により四角枠状に形成され、上下に位置する枠板には、水を流下させるための貫通孔がそれぞれ設けられている請求項１又は請求項２に記載の植生パネル。
【発明の詳細な説明】
【０００１】
【発明の属する技術分野】
本発明は、構造物の壁面を緑化することができる植生パネルに関するものである。より詳しくは、保水性を向上させて植物の生育を維持することができる植生パネルに関するものである。
【０００２】
【従来の技術】
従来、この種の植生パネルは、土壌及び保水剤等の混和剤を含有するコンクリート材料により四角板状に形成され、一方の表面に植物が植えられている。この植生パネルは、コンクリート材料が養生硬化したコンクリート中の保水剤等の混和剤によって保水性を有することにより、植物の生育に必要な水を保持することができるようになっている。そして、植生パネルは、構造物の壁面に、植物が植えられている側の表面が外側に位置するように取付けられることにより、構造物の壁面を緑化する。
【０００３】
【発明が解決しようとする課題】
ところが、この従来の植生パネルにおいては、コンクリート中の保水剤等の混和剤のみによって保水性を有しているために、その保水性は低い。このため、植生パネルの表面に植えられた植物が枯れる場合があるという問題があった。
【０００４】
本発明は、上記のような従来技術に存在する問題点に着目してなされたものである。その目的とするところは、保水性を向上させて植物の生育を維持することができる植生パネルを提供することにある。
【０００５】
【課題を解決するための手段】
上記の目的を達成するために、請求項１に記載の発明の植生パネルは、構造物の壁面上に配設される枠体と、植物を生育させるための土壌を含有するコンクリートにより形成され、枠体内に収容されるとともに、表面が上部に向かうに従い内方へ傾斜する傾斜状に形成されている植生基材と、吸水性及び保水性を有し、植生基材の背面上に設けられる保水材とを備えているものである。
【０００６】
請求項２に記載の発明の植生パネルは、請求項１に記載の発明において、前記枠体内には、複数の植生基材を収容するための区画壁が設けられているものである。
【０００７】
請求項３に記載の発明の植生パネルは、請求項１又は請求項２に記載の発明において、前記枠体は枠板により四角枠状に形成され、上下に位置する枠板には、水を流下させるための貫通孔がそれぞれ設けられているものである。
【０００８】
【発明の実施の形態】
以下、本発明を具体化した一実施形態を図面に基づいて詳細に説明する。
図３及び図５に示すように、植生パネル１１を構成する枠体１２は、４つの横長四角板状をなす枠板１２ａを、筒状をなすようにそれぞれ配置した後、各枠板１２ａの端部同士をそれぞれ連結することにより、四角枠状に形成されている。
【０００９】
この枠体１２内には、上下に位置する枠板１２ａと平行をなす第１区画壁１２ｂと、左右に位置する枠板１２ａと平行をなす第２区画壁１２ｃとが、枠体１２内の中央部で十字状をなすように取付けられている。そして、枠体１２内には、植生基材１３を収容するための４つの収容空間１４が形成されている。
【００１０】
上下に位置する各枠板１２ａと、第１区画壁１２ｂとには、円孔状の貫通孔１５がそれぞれ多数貫通形成され、枠体１２の背面には、四角板状の底板１６が取付けられている。
【００１１】
各枠板１２ａと、第１及び第２区画壁１２ｂ，１２ｃと、底板１６との材質の具体例としては、アルミニウム等の金属材料、ポリプロピレン等の合成樹脂材料、木材等が挙げられるが、植生パネル１１を軽量化するために、アルミニウムや木材等の比重の小さい材質が好ましい。
【００１２】
各枠板１２ａと、第１及び第２区画壁１２ｂ，１２ｃと、底板１６とは、植生パネル１１を軽量化するために、厚みはそれぞれ薄く形成されている。各枠板１２ａと、第１及び第２区画壁１２ｂ，１２ｃと、底板１６とがそれぞれ木材によって形成されているときには、各枠板１２ａと第１及び第２区画壁１２ｂ，１２ｃとの厚みは、例えば１６ｍｍにそれぞれ設定されている。また、底板１６の厚みは例えば９ｍｍに設定されている。
【００１３】
図２に示すように、底板１６の背面の各隅部には、正面横Ｔ字状をなす板状の取付け金具１７がそれぞれ取付けられている。そして、複数の固定ねじ１８を、取付け金具１７に貫通形成された挿通孔１７ａに挿通した後に、底板１６を介して枠板１２ａ内に螺入することにより、底板１６は枠体１２に取付けられるとともに、各取付け金具１７は底板１６にそれぞれ取付けられている。各取付け金具１７には、上下に位置する枠板１２ａよりも上方又は下方へ突出する円孔状の取付け孔１７ｂがそれぞれ貫通形成されている。
【００１４】
図１及び図５に示すように、枠体１２内において、各収容空間１４には植生基材１３がそれぞれ収容されている。各植生基材１３の表面１３ａは、上部に向かうに従い内方へ傾斜する傾斜状に形成されている。このとき、図１に示すように、植生基材１３の表面１３ａと底面１３ｂとのなす角度、即ち植生基材１３の表面１３ａの傾斜角度は、植物の生育を維持するために、好ましくは４５〜８０度、さらに好ましくは７５〜８０度に設定されている。
【００１５】
４５度未満では、植生基材１３の底部が厚くなるために、枠体１２の厚みが厚くなりやすい。一方、８０度を超えると、植生基材１３の表面１３ａが雨水等の水を受けにくい。さらに、植生基材１３の表面１３ａに太陽光等の光が照射されにくい。このため、植物の生育を維持しにくい。
【００１６】
各植生基材１３は、土壌を含有するコンクリートによりそれぞれ形成され、植物の生育に必要な水を保持することができるようになっている。ここで、各植生基材１３は、多数の間隙を有するポーラスコンクリートとして構成されている。各植生基材１３の表面１３ａには複数の植物１９がそれぞれ植えられ、各植物１９は、植生基材１３内の水等を吸収して生育するようになっている。
【００１７】
各植生基材１３の表面１３ａに植えられる植物１９の具体例としては、メキシコマンネングサ等のセダム類やパンジー等が挙げられる。各植生基材１３の表面１３ａには、全て同じ植物１９を植えてもよいし、植生基材１３ごとに異なる種類の植物１９を植えてもよい。また、一つの植生基材１３の表面１３ａに、複数の種類の植物１９を植えてもよい。
【００１８】
ここで、上記のコンクリートについて説明する。
コンクリートとは、結合材と、骨材と、水とを含有するコンクリート材料が養生硬化したものである。結合材の具体例としては、普通ポルトランドセメント、早強ポルトランドセメント等のポルトランドセメントや、高炉セメント等の混合セメント等が挙げられるが、容易に入手することができるとともに植生基材１３を容易に形成することができるために、ポルトランドセメントが好ましい。
【００１９】
骨材の具体例としては、砂利等の粗骨材や砂等の細骨材等が挙げられるが、植物１９の生育を維持するために、バーミキュライト等の保水性を有するものが好ましい。
【００２０】
結合材の含有量は、コンクリート内部の結合力を向上させるために、土壌に対して好ましくは５〜１０重量％である。５重量％未満では、コンクリート内部の結合力を十分に向上させることができない。一方、１０重量％を超えると、植生パネル１１の製造コストが嵩みやすい。
【００２１】
骨材の含有量は、植物１９の生育を維持するために、土壌に対して重量比で好ましくは０．５〜１倍である。０．５倍未満では、骨材が保水性を有するものであるときに、植生基材１３の保水性が低下しやすいために植物１９の生育を維持しにくい。一方、１倍を超えると、コンクリート内部の結合力が低下しやすい。
【００２２】
水の含有量は、植生基材１３の強度を向上させるために、土壌に対して好ましくは１５〜２０重量％である。１５重量％未満では、コンクリート材料の流動性が低くなりやすいために、植生基材１３を形成するときにコンクリート材料を打設しにくい。一方、２０重量％を超えると植生基材１３の強度が低下しやすい。
【００２３】
土壌は保水性を有し、植物１９を生育させるとともに植生基材１３の保水性を向上させるためにコンクリート材料に含有される。この土壌は、植物１９の生育を維持するために、有機肥料等を含有してもよい。コンクリート材料には、土壌への水の浸透性を向上させるための界面活性剤、即ち浸透活性剤や、土壌を団粒化させてその保水性を向上させるための団粒化剤等の混和剤を含有してもよい。このとき、混和剤の含有量は、水に対して例えば１重量％である。
【００２４】
各植生基材１３の背面１３ｃ上には、四角板状の保水材２０がそれぞれ配設されている。この保水材２０は、木材、発泡ポリウレタン樹脂又はスポンジ等の吸水性及び保水性を有する材料により形成されている。保水材２０が木材により形成されているときには、その吸水性及び保水性を向上させるために、木材の圧縮成型により形成されているのが好ましい。
【００２５】
そして、各植物１９の生育によって植生基材１３の保水量が減少したときには、保水材２０から植生基材１３に水が補給されるようになっている。また、保水材２０の保水量が減少するとともに、降雨等によって植生基材１３に水が補給されたときには、保水材２０の毛管作用による吸水作用により、植生基材１３から保水材２０に水が補給されるようになっている。
【００２６】
次いで、植生パネル１１の製造方法について説明する。
植生パネル１１を製造するときには、まず枠体１２の背面に底板１６を取付けるとともに、底板１６の背面の各隅部に各取付け金具１７を取付ける。次いで、図４（ａ）に示すように、枠体１２を、開口側を上方へ向けるとともに水平面に対して傾斜した状態で配置した後、各収容空間１４内において、底板１６上に保水材２０をそれぞれ配設する。このとき、枠体１２は、植生基材１３が形成されたときにその表面１３ａの傾斜角度が上記の範囲となる角度で、水平面に対して傾斜するのが好ましい。
【００２７】
続いて、図４（ｂ）に示すように、コンクリート材料を調製した後に枠体１２内に打設し、コンクリート材料の表面が養生硬化する前に播種又は苗を植えることによって表面に植物を植える。このとき、枠体１２内に打設されたコンクリート材料が、上下に位置する各枠板１２ａの各貫通孔１５から外方へ漏出するのを防止するために、上下に位置する各枠板１２ａの各貫通孔１５の上端面又は下端面は、コンクリート材料が養生硬化するまで図示しない板材等によって閉塞されている。そして、コンクリート材料を養生硬化させて各植生基材を形成し、植生パネルを製造する。
【００２８】
このとき、枠体１２内に打設されたコンクリート材料の一部は、第１区画壁１２ｂの複数の貫通孔１５の内の一部の貫通孔１５に充填された後に養生硬化する。このため、上方に位置する各植生基材と、下方に位置する各植生基材とは、第１区画壁１２ｂの貫通孔１５内のコンクリートを介して一体に形成されている。
【００２９】
さて、図１に示すように、構造物２１において、例えば垂直方向に延びる壁面２１ａを緑化するときには、まず各取付け金具１７の取付け孔に対応する箇所の壁面２１ａに、ねじ孔２１ｂを凹設する。次いで、植生パネル１１を壁面２１ａ上に配置した後、取付けボルト２２を取付け孔に挿通してねじ孔２１ｂに螺合させることにより、植生パネル１１を壁面２１ａに取付ける。
【００３０】
そして、図５に示すように、構造物の壁面２１ａに複数の植生パネル１１を取付けることにより、構造物の壁面２１ａを緑化する。また、植生パネル１１を構造物２１の傾斜状をなす壁面２１ａ上に上記と同様にして取付けることにより、構造物２１の壁面２１ａを緑化する。
【００３１】
さらに、取付けボルト２２とねじ孔２１ｂとの螺合を解除することによって、構造物２１の壁面２１ａに取付けられた植生パネル１１を、新たな植生パネル１１に取替えることができる。
【００３２】
図１に示すように、各植物１９は、生育によって各植生基材１３内の水をそれぞれ吸収する。このため、各植生基材１３の保水量がそれぞれ減少したときには、各保水材２０内の水が各植生基材１３へそれぞれ補給される。そして、降雨等によって植生パネル１１に水がかけられたときには、保水量が減少した各植生基材１３は、その表面１３ａが水を受けることにより、表面１３ａから水がそれぞれ補給される。さらに、上方に位置する各植生基材１３は、上方に位置する枠板１２ａの各貫通孔１５を介して上方からも水がそれぞれ補給される。
【００３３】
このとき、各保水材２０の保水量が減少しているときには、保水材２０の毛管作用による吸水作用により、各植生基材１３内の水が各保水材２０へそれぞれ補給される。また、上方に位置する各植生基材１３及び各保水材２０に、それらの保水能力を超える量の水が補給されたときには、保水能力を超えた水は、第１区画壁１２ｂの各貫通孔１５を介して下方に位置する各植生基材１３に補給される。そして、下方に位置する各植生基材１３及び各保水材２０に、それらの保水能力を超えた量の水が補給されたときには、保水能力を超えた水は、下方に位置する枠板の貫通孔を介して外方へ排水される。
【００３４】
以上詳述した本実施形態によれば、次のような効果が発揮される。
・　本実施形態の植生パネル１１によれば、各植生基材１３は、表面１３ａが上部に向かうに従い内方へ傾斜する傾斜状にそれぞれ形成されるとともに、背面１３ｃ上には保水材２０がそれぞれ配設されている。このため、各植生基材１３の表面１３ａは、雨水等の水を容易に受けることができる。さらに、植生基材１３の保水量が減少したときには、保水材２０内の水を植生基材１３に補給することができる。よって、保水性を向上させて植物１９の生育を維持することができる。
【００３５】
・　本実施形態の植生パネル１１によれば、枠体１２内には第１及び第２区画壁１２ｂ，１２ｃが形成され、植生基材１３を収容するための４つの収容空間１４が形成されている。このため、各収容空間１４に収容される植生基材１３の表面１３ａの傾斜角度を容易に小さくすることができる。ここで、植生基材１３は、その表面１３ａの傾斜角度が小さいほど雨水等の水を容易に受けることができる。よって、各植生基材１３の表面１３ａの傾斜角度を小さくして、水をそれぞれ受けやすくすることができる。
【００３６】
・　本実施形態の植生パネル１１によれば、枠体１２において、上下に位置する枠板１２ａには貫通孔１５がそれぞれ多数貫通形成されている。このため、各植生基材１３及び各保水材２０への水の補給量を容易に増加させることができるとともに、各植生基材１３及び各保水材２０の保水能力を超えた水を外方へ容易に排水することができる。
【００３７】
なお、前記実施形態を次のように変更して構成することもできる。
・　前記各枠板１２ａと、第１及び第２区画壁１２ｂ，１２ｃと、底板１６と、保水材２０とを、リサイクル可能なものでそれぞれ形成してもよい。また、コンクリート材料に含有される混和剤をリサイクル可能なものとしてもよい。さらに、結合材を、ゴミの焼却灰やコンクリート廃材から製造されるエコセメントとしてもよい。このように構成した場合は、コンクリート廃材等を有効利用することができるとともに、リサイクルすることができる。
【００３８】
・　前記コンクリート材料の表面が養生硬化する前に播種によって植物１９を植えるときには、播種した後に、コンクリート材料の表面に砂を薄く敷詰めてもよい。また、コンクリート材料の表面に接着剤等を溶かした溶液を吹付けてもよいし、コンクリート材料の表面に砂を薄く敷詰め、さらに接着剤等を溶かした溶液を吹付けて砂を硬化させてもよい。このとき、接着剤は、植物１９を枯らさない材料により形成されている。このように構成した場合は、風雨等によって、各植生基材１３の表面１３ａから種が飛散するのを防止することができる。
【００３９】
・　前記植生パネル１１を、スプリンクラ等によって定期的に撒水されるように構成してもよい。このように構成した場合は、構造物２１の屋根の下の壁面２１ａ等の雨水がかかりにくい壁面２１ａに植生パネル１１を取付けたときにも、植物１９の生育を維持することができる。
【００４０】
・　前記第２区画壁１２ｃに貫通孔１５を多数貫通形成してもよい。このように構成した場合は、例えば植生パネル１１の左方に位置する各植生基材１３及び各保水材２０の保水能力を超えた水を、第２区画壁１２ｃの貫通孔１５を介して植生パネル１１の右方に位置する各植生基材１３へ補給することができる。このため、植生パネル１１にかかる水が植生パネル１１の左側のみ又は右側のみのときにも、植生基材１３及び保水材２０の全てに水を補給することができる。
【００４１】
・　前記枠体１２に、第１区画壁１２ｂ又は第２区画壁１２ｃをそれぞれ複数形成してもよい。また、第１区画壁１２ｂのみ又は第２区画壁１２ｃのみを形成してもよい。
【００４２】
・　前記各枠板１２ａと、第１及び第２区画壁１２ｂ，１２ｃとが金属材料又は合成樹脂材料によりそれぞれ形成されているときには、各枠板１２ａと、第１及び第２区画壁１２ｂ，１２ｃとを一体に形成してもよい。
【００４３】
・　前記底板１６を省略してもよい。
【００４４】
【実施例】
次に、実施例を挙げて前記実施形態をさらに具体的に説明する。
（実施例１〜３）
実施例１においては、まず土壌と、結合材としてのセメントと、水と、混和剤としての浸透活性剤及び団粒化剤とからコンクリート材料を調製した。コンクリート材料１ｍ３当たりの各成分の含有量を表１に示す。次いで、調製されたコンクリート材料を枠体１２内に打設し、コンクリート材料の表面が養生硬化する前に植物１９としてのパンジーの苗を植えた。そして、コンクリート材料を養生硬化させて各植生基材１３を形成し、植生パネル１１を製造した。ここで、各植生基材１３の表面１３ａの傾斜角度をそれぞれ７５度とした。
【００４５】
実施例２及び実施例３においては、各成分の含有量を表１に示すように変更するとともに、骨材としてのバーミキュライトを含有するコンクリート材料を調製した以外は、実施例１と同様にして植生パネルを製造した。尚、表１において、土壌をＳで示し、セメントをＣｅで示す。さらに、バーミキュライトをＧｌで示し、水をＷで示す。
【００４６】
【表１】
2004016188.tif 000003
表１の各行の実施例について、植生パネル１１を構造物２１の垂直方向に延びる壁面２１ａにそれぞれ取付け、パンジーの生育状態を目視にて観察した。この結果、いずれの実施例についても、パンジーの生育を維持することができた。
【００４７】
次に、前記実施形態から把握できる技術的思想について以下に記載する。
（１）前記植生基材の表面の傾斜角度は、４５〜８０度に設定されている請求項１から請求項３のいずれか一項に記載の植生パネル。この構成によれば、植物の生育をより確実に維持することができる。
【００４８】
（２）請求項１から請求項３及び上記（１）のいずれか一項に記載の植生パネルを構造物の壁面に取付けることにより、構造物の壁面を緑化することを特徴とする構造物の壁面の緑化方法。この構成によれば、植生パネルの保水性を向上させることにより、植物の生育を維持することができる。
【００４９】
【発明の効果】
本発明は、以上のように構成されているため、次のような効果を奏する。
請求項１に記載の発明の植生パネルによれば、保水性を向上させて植物の生育を維持することができる。
【００５０】
請求項２に記載の発明の植生パネルによれば、請求項１に記載の発明の効果に加え、植生基材の表面の傾斜角度を小さくして、水を受けやすくすることができる。
【００５１】
請求項３に記載の発明の植生パネルによれば、請求項１又は請求項２に記載の発明の効果に加え、植生基材及び保水材への水の補給量を容易に増加させることができるとともに、植生基材及び保水材の保水能力を超えた水を外方へ容易に排水することができる。
【図面の簡単な説明】
【図１】本実施形態の植生パネルを構造物の壁面に取付けた状態を示す要部拡大断面図。
【図２】底板に取付け金具を取付けた状態を示す一部分解斜視図。
【図３】枠体に底板を取付けた状態を示す分解斜視図。
【図４】（ａ）はコンクリート材料を枠体内に打設する前の状態を示す要部拡大断面図、（ｂ）はコンクリート材料を枠体内に打設した後の状態を示す要部拡大断面図。
【図５】植生パネルを構造物の壁面に取付けた状態を示す斜視図。
【符号の説明】
１１…植生パネル、１２…枠体、１２ａ…枠板、１２ｂ…区画壁としての第１区画壁、１２ｃ…区画壁としての第２区画壁、１３…植生基材、１３ａ…表面、１３ｃ…背面、１５…貫通孔、１９…植物、２０…保水材、２１…構造物、２１ａ…壁面。
【図１】
2004016188.tif 000004
【図２】
2004016188.tif 000005
【図３】
2004016188.tif 000006
【図４】
2004016188.tif 000007
【図５】
2004016188.tif 000008